(57)【要約】      （修正有）【課題】新旧設備の収納棚の並設期間を実質的に無くして更新工事を円滑化する貸金庫装置の更新方法を提供する。【解決手段】旧設備の内函を収納棚から取り出して内部を利用した後、内函内の保管物を新設備用の内函２２に移し替え、保管物入りの新設備用の内函を旧設備の収納棚１１に収納する移行工程と、旧設備の収納棚１１から保管物入りの新設備用の内函２２を取り出し、自動搬送用のトレイ２４と一体化し、トレイ付きの内函を新設備の収納棚２１に収納する更新工程により構成した。【選択図】図４
2019039183.tif 000002
【特許請求の範囲】
【請求項１】
旧設備の内函を収納棚から取り出して内部を利用した後、内函内の保管物を新設備用の内函に移し替え、保管物入りの新設備用の内函を旧設備の収納棚に収納する移行工程と、旧設備の収納棚から保管物入りの新設備用の内函を取り出して自動搬送用のトレイと一体化し、トレイ付きの内函を新設備の収納棚に収納する更新工程とを備えてなり、各顧客により移行工程を実施し、担当係員により更新工程を実施することを特徴とする貸金庫装置の更新方法。
【請求項２】
更新工程は、旧設備の収納棚内の保管物入りの内函の全部について一挙に実施することを特徴とする請求項１記載の貸金庫装置の更新方法。
【発明の詳細な説明】
【技術分野】
【０００１】
この発明は、手動または半自動の貸金庫装置（以下、旧設備ということがある）を全自動の貸金庫装置（以下、新設備ということがある）に更新する際に有用な貸金庫装置の更新方法に関する。
【背景技術】
【０００２】
金融機関の店舗などに設置される貸金庫装置は、手動、半自動、全自動の各形式が実用されている（たとえば非特許文献１）。
【０００３】
手動の貸金庫装置は、係員とともに顧客が金庫室に入室し、係員が保有する銀行キーと、顧客が保有する顧客キーとを使用して顧客の貸金庫用の内函を収納している収納棚の扉を開いて内函を取り出し、内部を利用することができる。半自動の貸金庫装置は、たとえば認証用カードを使用して金庫室に入室する顧客が、認証成立によって発行される電子キーと、自分が保有する顧客キーとを使用して収納棚の自分の内函用の扉を開き、内函を取り出して利用する形式である（特許文献１）。全自動の貸金庫装置は、たとえば認証カードを使用して専用のブースに入室する顧客が、金庫室の収納棚からブース内に自動的に搬送される自分の内函を顧客キーにより開いて利用する形式である（特許文献２）。
【０００４】
手動、半自動、全自動の貸金庫装置は、この順に顧客の使い勝手やサービス性が向上しているため、手動または半自動の旧設備の貸金庫装置を全自動の新設備の貸金庫装置に格上げするための更新要請が少なくない。そこで、従来の更新方法では、旧設備の収納棚１１に近接して新設備の収納棚２１を並設し（図５）、顧客が旧設備の内函１２を取り出して内部を利用する都度（図５の矢印Ａ）、顧客自身により内函１２内の保管物を新設備用の内函２２に移し替え（図５の矢印Ｂ）、係員により保管物が入った内函２２を新設備の収納棚２１の所定位置に収納する（図５の矢印Ｃ）。なお、旧設備の内函１２内の保管物を顧客自身により新設備用の内函２２に移し替えるのは、主として顧客のプライバシー保護の観点からである。
【０００５】
ただし、図５において、旧設備の収納棚１１は、手動の貸金庫装置用を示し、各顧客用の内函１２を収納する扉１１ａ上には、係員、顧客がそれぞれ保有する銀行キー用、顧客キー用の鍵穴１１ｂ、１１ｃが並置されている。また、内函１２は、蓋１２ａを上方に大きく鈍角に開いて内部を利用することができ、正面には、内函１２の固有番号を示すネームプレート１２ｂが付設されている。
【０００６】
一方、新設備の収納棚２１は、図示しない搬送装置を介し、指定の内函２２を付属の操作テーブル２３上のスライド蓋付きの開口部２３ａに自動搬送して顧客に利用させることができる。なお、収納棚２１、操作テーブル２３は、それぞれ図示しない金庫室、顧客が入室するブースに設置され、両者間は、図示しない仕切壁を介して隔離されている。また、新設備の内函２２は、顧客キーを介して蓋２２ａを上方に鈍角に開くことができ、上面には、顧客キー用の鍵穴２２ｂが設けられている。また、内函２２は、搬送装置を介して収納棚２１に搬出入するために、左右対称の下向きのフック２４ａ、２４ａを有する自動搬送用のトレイ２４と一体化されている。ただし、図５において、フック２４ａ、２４ａは、片側のみが図示されている。
【０００７】
以上のようにして、旧設備の収納棚１１内のすべての内函１２、１２…について、それぞれの保管物が新設備の各内函２２に移し替えが完了したら、旧設備の収納棚１１を撤去し、新設備の全面運用を開始することができる。ただし、新設備の内函２２に保管物を移し替えた顧客には、先行して新設備のサービスを提供することができる。
【先行技術文献】
【特許文献】
【０００８】
【特許文献１】特開２０１１−８４９５３号公報
【特許文献２】特開２００３−３０１６６４号公報
【非特許文献】
【０００９】
【非特許文献１】貸金庫『北國貸金庫サービス』商品説明書、http://hokkokubank.co.jp/manual/pdf/etc_strongbox.pdf
【発明の概要】
【発明が解決しようとする課題】
【００１０】
かかる従来技術によるときは、旧設備の内函１２から新設備の内函２２への保管物の移し替えは、顧客自身により遂次実行するため、作業が完了するまでの長期間の間、継続して新旧設備の収納棚１１、２１を並設する必要があり、更新工事が極めて煩雑であるという問題があった。
【００１１】
そこで、この発明の目的は、かかる従来技術の問題に鑑み、顧客自身による保管物の移し替え作業後の内函の保管場所を工夫することによって、更新工事を円滑にすることができる貸金庫装置の更新方法を提供することにある。
【課題を解決するための手段】
【００１２】
かかる目的を達成するためのこの発明の構成は、旧設備の内函を収納棚から取り出して内部を利用した後、内函内の保管物を新設備用の内函に移し替え、保管物入りの新設備用の内函を旧設備の収納棚に収納する移行工程と、旧設備の収納棚から保管物入りの新設備用の内函を取り出して自動搬送用のトレイと一体化し、トレイ付きの内函を新設備の収納棚に収納する更新工程とを備えてなり、各顧客により移行工程を実施し、担当係員により更新工程を実施することをその要旨とする。
【００１３】
なお、更新工程は、旧設備の収納棚内の保管物入りの内函の全部について一挙に実施することができる。
【発明の効果】
【００１４】
かかる発明の構成によるときは、各顧客は、移行工程において、旧設備の収納棚から自分の旧設備の内函を取り出して内部を利用すると、内函内の保管物を新設備用の内函に移し替え、保管物入りの新設備用の内函を旧設備の収納棚に収納する。そこで、このようにして旧設備の収納棚内の保管物入りの内函が全部新設備用の内函に切り替わると、担当係員は、旧設備の収納棚から保管物入りの新設備用の内函を取り出し、自動搬送用のトレイと一体化して新設備の収納棚に収納して更新工程を実施する。すなわち、新設備の収納棚は、更新工程の実施までに設置すれば足りるから、新旧設備の収納棚の並設期間を実質的に無くすることができ、更新工事を簡略化して円滑化することができる。ただし、この場合は、移行工程において保管物を新設備用の内函に移し替えても、更新工程の完了まで新設備のサービスを先行して提供できないという制約があるが、内函の利用頻度が極端に高くない普通の顧客にとって必ずしも致命的なデメリットになる訳ではない。
【００１５】
なお、更新工程は、旧設備の収納棚内の保管物入りの内函（新設備用）の全部について、一挙に実施して更新工程に要する工事期間を最短にすることが好ましい。また、その手順は、旧設備の収納棚からの内函の取出し、トレイの装着、新設備の収納棚への内函の収納の各作業を各内函ごとに全数分繰り返してもよく、全数の内函を一挙に取り出してトレイを装着し、トレイ付きの内函の全数を一挙に収納してもよい。
【図面の簡単な説明】
【００１６】
【図１】工程フローチャート（１）
【図２】工程フローチャート（２）
【図３】模式動作説明図（１）
【図４】模式動作説明図（２）
【図５】従来技術を示す模式動作説明図
【発明を実施するための形態】
【００１７】
以下、図面を以って発明の実施の形態を説明する。
【００１８】
貸金庫装置の更新方法は、各顧客による移行工程に対し、担当係員による更新工程を従続させてなる（図１、図２）。
【００１９】
各顧客は、旧設備の収納棚１１内の自分の旧設備の内函１２を取り出して内部を利用すると（図１のステップ（１）、以下、単に（１）のように記す、図３の矢印Ａ）、内函１２が旧設備用のものであることを確認して（２）、内部の保管物を新設備用の内函２２に移し替える（（３）、図３の矢印Ｂ）。その後、各顧客は、保管物入りの内函２２を収納棚１１の元の内函１２の収納位置に収納して一連の作業を終了する（（４）、図３の矢印Ｃ）。なお、収納棚１１に収納されている各顧客の保管物入りの内函１２、１２…の全部について、各顧客により以上の一連の作業が終了すると、移行工程の完了とする。ただし、図３の収納棚１１、内函１２、２２の各説明は、図５における収納棚１１、内函１２、２２の各説明と同様である。なお、図３の内函２２には、トレイ２４が付設されていない。
【００２０】
移行工程が完了すると、担当係員による更新工程を実施する。すなわち、まず、旧設備の収納棚１１から保管物入りの新設備用の内函２２を取り出し（図２のステップ（１）、以下、単に（１）のように記す、図４の矢印Ａ）、トレイ２４を内函２２に一体に装着する（（２）、図４の矢印Ｂ）。なお、トレイ２４は、内函２２の底面に適合する左右のフック２４ａ、２４ａ付きの長方形の浅皿状に形成されており、たとえば両面接着テープ２４ｂ、２４ｂを介して内函２２の下面に一体に装着することができる。
【００２１】
つづいて、トレイ２４付きの内函２２を新設備の操作テーブル２３付きの収納棚２１の所定位置に収納し（（３）、図４の矢印Ｃ）、以上の手順を収納棚１１内の保管物入りの内函２２、２２…の全部について繰り返し（（４）、（１）、（２）…（４））、更新工程を完了することができる。ただし、図４の収納棚１１、内函２２、トレイ２４、収納棚２１、操作テーブル２３の各説明は、図５における収納棚１１、内函２２、トレイ２４、収納棚２１、操作テーブル２３の各説明と同様である。また、図４のトレイ２４は、内函２２と一体化される前の状態が図示されているのに対し、図５のトレイ２４は、内函２２と一体化されている。
【００２２】
なお、図２のステップ（１）〜（４）は、旧設備の収納棚１１内の保管物入りの内函２２、２２…を個別に順次処理するが、これに代えて、内函２２、２２…の全部を一挙に処理してもよく、内函２２、２２…を任意にグループ別けした上で、各グループごとに処理してもよい。また、図４において、操作テーブル２３付きの新設備の収納棚２１は、それらを設置する図示しない金庫室や顧客用のブース、内函２２用の搬送装置などとともに、図１の顧客による移行工程の実施中には必要でなく、図２の担当係員による更新工程の実施のタイミングに合わせて設置すれば十分である。そこで、たとえば、旧設備の収納棚１１内の内函２２、２２…の取出し後、内函２２、２２…の仮置きと、トレイ２４の装着作業などのための場所を確保することにより、旧設備の収納棚１１を撤去した同一場所に収納棚２１、操作テーブル２３を含む一連の新設備一式を設置することも可能である。
【００２３】
以上の説明において、手動または半自動の旧設備の貸金庫装置は、各顧客が金庫室に入室して自分の内函を利用する形式であって、このとき、金庫室に入室するための各顧客の認証は、有人受付、無人受付のいずれであってもよく、また、無人受付の場合には、暗証番号認証、生体認証などを含む任意の認証方法が適用可能である。また、全自動の新設備の貸金庫装置は、各顧客が金庫室に入室する必要がなく、ブースにまで全自動で搬送される自分の内函をブースにて利用する形式である。そこで、この場合も、ブースへの入室や、自分の内函の指定などのための各顧客の認証方法は、任意の形式を採用することができる。
【産業上の利用可能性】
【００２４】
この発明は、金融機関の店舗などに設置される旧設備の貸金庫装置を新設備の貸金庫装置に更新するに際し、その規模の如何に拘らず広く好適に適用することができる。
【符号の説明】
【００２５】
１１、２１…収納棚
１２、２２…内函
２４…トレイ
特許出願人      株式会社  富士精工本社
【図１】
2019039183.tif 000003
【図２】
2019039183.tif 000004
【図３】
2019039183.tif 000005
【図４】
2019039183.tif 000006
【図５】
2019039183.tif 000007